(57)【要約】【課題】  本発明は、エッジスイッチでのパケット廃棄が発生しなくなり、ＴＣＰ輻輳制御におけるパケットの再送が低減され、ネットワークの有効活用率が向上する通信速度制御方法及びその装置を提供することを目的とする。【解決手段】  ユーザ端末とネットワークのエッジスイッチ間の通信における通信速度制御方法であって、前記ユーザ端末から前記エッジスイッチにデータを送信する際の送信速度を前記エッジスイッチにおけるユーザ契約の通信速度と一致させる。【選択図】        図４
2006262417.tif 000002
【特許請求の範囲】
【請求項１】
ユーザ端末とネットワークのエッジスイッチ間の通信における通信速度制御方法であって、
前記ユーザ端末から前記エッジスイッチにデータを送信する際の送信速度を前記エッジスイッチにおけるユーザ契約の通信速度と一致させることを特徴とする通信速度制御方法。
【請求項２】
請求項１記載の通信速度制御方法において、
前記ユーザ端末の送信速度を前記ユーザ契約の通信速度と一致させる処理は、前記ユーザ端末を前記ネットワークに接続するためのリンクアップの際に実行することを特徴とする通信速度制御方法。
【請求項３】
請求項１または２記載の通信速度制御方法において、
前記ユーザ端末の送信速度を前記ユーザ契約の通信速度と一致させる処理を、一定周期で実行することを特徴とする通信速度制御方法。
【請求項４】
請求項１または２記載の通信速度制御方法において、
前記ユーザ端末の送信速度を前記ユーザ契約の通信速度と一致させる処理を、前記エッジスイッチにおけるユーザ契約の通信速度が変更された際に実行することを特徴とする通信速度制御方法。
【請求項５】
請求項１または２記載の通信速度制御方法において、
前記ユーザ端末の送信速度を前記ユーザ契約の通信速度と一致させる処理を、前記ユーザ端末から送信速度の変更要求の際に実行することを特徴とする通信速度制御方法。
【請求項６】
ユーザ端末とネットワークのエッジスイッチ間の通信における通信速度制御方法に用いるユーザ端末であって、
前記エッジスイッチにおけるユーザ契約の通信速度を問合せる問合せ手段と、
前記エッジスイッチにデータを送信する際の送信速度を前記エッジスイッチから通知された前記ユーザ契約の通信速度と一致させる送信速度制御手段を
有することを特徴とするユーザ端末。
【請求項７】
請求項６記載のユーザ端末において、
前記問合せ手段は、前記ユーザ端末を前記ネットワークに接続するためのリンクアップの際に、前記エッジスイッチに前記問合せを行うことを特徴とするユーザ端末。
【請求項８】
請求項６記載のユーザ端末において、
前記問合せ手段は、一定周期で前記エッジスイッチに前記問合せを行うことを特徴とするユーザ端末。
【請求項９】
ユーザ端末とネットワークのエッジスイッチ間の通信における通信速度制御方法に用いるエッジスイッチであって、
前記ユーザ端末からの問合せに応じて前記ユーザ端末にユーザ契約の通信速度を通知する通知手段を有することを特徴とするエッジスイッチ。
【請求項１０】
請求項９記載のエッジスイッチにおいて、
前記ユーザ契約の通信速度が変更された際に、前記ユーザ端末に前記通知を行うことを特徴とするエッジスイッチ。
【発明の詳細な説明】
【技術分野】
【０００１】
本発明は、通信速度制御方法及びその装置に関し、ユーザ端末とネットワークのエッジスイッチ間の通信における通信速度制御方法及びその装置に関する。
【背景技術】
【０００２】
近年の通信技術・通信設備の飛躍的発展により、ＰＣ（パーソナルコンピュータ）等によるＩＰ（Ｉｎｔｅｒｎｅｔ  Ｐｒｏｔｏｃｏｌ）ネットワークを利用した通信量が急増中であり、データ通信（ＰＣ）、音声（ＩＰ電話）、画像データなどに対する効率のよい通信が要求されている。
【０００３】
図１は、ＩＰネットワークのネットワーク構成図を示す。同図中、広域ネットワーク１０は、コアスイッチ１１及びエッジスイッチ１２で構成されており、ユーザＰＣに通信サービスを提供する。コアスイッチ１１は、広域ネットワーク１０内に設置されるネットワークスイッチ装置である。各エッジスイッチ１２は、複数のユーザＰＣ１３，１４を収容して広域ネットワーク１０に接続するネットワークスイッチ装置である。ユーザＰＣ１３は、広域ネットワーク１０を通して他のユーザＰＣ１４との間でＷｅｂやＦＴＰ等の通信を行う。
【０００４】
図２は、従来のユーザＰＣとエッジスイッチの一例のブロック図を示す。
【０００５】
同図中、送信側のユーザＰＣ２０において、パケット生成部２１はファイル２２を分割して通信のためのパケットを生成しバッファ２３に格納する。なお、パケット生成時には、受信側でパケットの連続性をチェックするための番号を付与する。
【０００６】
送信制御部２４は、バッファ２３に格納されているパケットを送信する。また、受信側のユーザＰＣから送信される受信応答を受信し、再送要求を検出したときには再送処理を行う。シェイパ２５は、出力回線の状態に応じてバッファ２３からのパケットの読出しを調整して送信制御部２４の送信量（送信速度）を調整する。
【０００７】
エッジスイッチ３０において、キュー３１は、キューサイズで決まるバースト許容量で入力されたパケットの受信処理待ちを行う。ポリサ３２は入力するパケット数を監視し、設定帯域（ユーザ契約帯域）を超過するパケットに対してはこれを廃棄する。スイッチ部３３は、パケットの宛先に従ってコアスイッチやエッジスイッチへの転送処理を行う。バッファ３４にはスイッチ部３３からのパケットが宛先毎に格納される。シェイパ３５は出力回線の状態に応じて送信量を調整する。
【０００８】
受信側のユーザＰＣ４０において、チェック部４１は、送信側でパケットに付加された番号を監視して受信パケットの連続性をチェックし、チェック結果を応答部４２に通知する。パケットの連続性が崩れた場合はパケットが欠落したと判断し、欠落したパケットの番号を併せて応答部４２に通知する。パケットの欠落がなければ、受信パケットからファイル４３を再現する。
【０００９】
応答部４２は、チェック部４１からのチェック結果を受けて受信応答を生成し、送信側のユーザＰＣ２０に送信する。パケット欠落検出時は、欠落したパケットの番号および再送要求を受信応答に載せてユーザＰＣ２０に送信する。
【００１０】
図３は、再送処理シーケンスを説明するための図を示す。
【００１１】
（Ａ）送信側のユーザＰＣ２０は生成したパケットをエッジスイッチ３０との間の回線レートで送信する。通常、エッジスイッチ３０のポリサ３２における設定帯域はユーザＰＣ２０を広域ネットワーク１０に接続するユーザ契約に基づいて、回線レートより低く設定されている場合が多い。
【００１２】
このため、設定帯域を超過する通信を行うとポリサ３２によってパケット廃棄が発生し、受信側のユーザＰＣ４０で再送要求が発生する。送信側のユーザＰＣ２０は受信側のユーザＰＣ４０からの受信応答を監視し、再送要求を受信した場合は送信を停止し、所定時間の待ち合わせ（ｗａｉｔ＃１）を行う。
【００１３】
（Ｂ）ｗａｉｔ＃１の送信停止後、送信側のユーザＰＣ２０は再送要求で通知された番号から再び回線レートで送信を開始する。このとき再送パケット数は前回廃棄されるまでに連続送信できたパケット数を送信する。再びパケット廃棄により再送要求がくることで、送信側のユーザＰＣ２０は回線レートを推測する。推測方法を以下に示す。
【００１４】
送信量（Ａ）  ＞  送信量（Ｂ）の場合、ネットワーク１０の通信速度が遅いので、次回はｗａｉｔ＃２をｗａｉｔ＃１より増加させる。
【００１５】
送信量（Ａ）  ≦  送信量（Ｂ）の場合、ネットワーク１０の通信速度が速いので、次回はｗａｉｔ＃２をｗａｉｔ＃１より減少させる。
【００１６】
上記の動作を繰り返すことで利用効率を上げていく（ＴＣＰ輻輳制御、例えば非特許文献１参照）。
【００１７】
なお、特許文献１には、ＡＴＭ多重化装置の通信速度制御方法が記載されている。また、特許文献２には、２つのネットワークそれぞれに接続されたルータ間を中継線で接続した場合の通信速度制御方法が記載されている。
【特許文献１】特開平７−１２３０９９号公報
【特許文献２】特開平１０−２８５２１８号公報
【非特許文献１】「ＩＰ  ネットワークにおけるＴＣＰ性能」  第５７回電気関係学会九州支部連合大会  第１０会場  １０−Ａ２−０１  ２００４年９月２７、２８日
【発明の開示】
【発明が解決しようとする課題】
【００１８】
従来の通信速度制御方法では、通信速度つまり帯域を最適化する過程で必ずパケットの廃棄及び再送が発生し、パケットの再送はネットワーク利用効率を低下させるという問題があった。
【００１９】
また、待ち合わせ時間ｗａｉｔの最小値はＰＣ性能に依存し、待ち合わせ時間ｗａｉｔがネットワーク１０の通信速度に対して長いと、エッジスイッチ３０のキュー３１が空となり、ネットワーク１０の利用効率は低下するという問題があった。
【００２０】
本発明は、上記の点に鑑みなされたものであり、エッジスイッチでのパケット廃棄が発生しなくなり、ＴＣＰ輻輳制御におけるパケットの再送が低減され、ネットワークの有効活用率が向上する通信速度制御方法及びその装置を提供することを目的とする。
【課題を解決するための手段】
【００２１】
本発明は、ユーザ端末とネットワークのエッジスイッチ間の通信における通信速度制御方法であって、
前記ユーザ端末から前記エッジスイッチにデータを送信する際の送信速度を前記エッジスイッチにおけるユーザ契約の通信速度と一致させることにより、
ユーザＰＣとエッジスイッチの通信速度が一致してエッジスイッチでのパケット廃棄が発生しなくなり、ＴＣＰ輻輳制御におけるパケットの再送が低減され、ネットワークの有効活用率が向上する。
【００２２】
前記通信速度制御方法において、
前記ユーザ端末の送信速度を前記ユーザ契約の通信速度と一致させる処理は、前記ユーザ端末を前記ネットワークに接続するためのリンクアップの際に実行することができる。
【００２３】
また、前記通信速度制御方法において、
前記ユーザ端末の送信速度を前記ユーザ契約の通信速度と一致させる処理を、一定周期で実行することにより、設定帯域が変更された場合に最新の設定帯域に合わせユーザ端末の送信速度を制御することができる。
【００２４】
また、前記通信速度制御方法において、
前記ユーザ端末の送信速度を前記ユーザ契約の通信速度と一致させる処理を、前記エッジスイッチにおけるユーザ契約の通信速度が変更された際に実行することにより、設定帯域が変更された場合に最新の設定帯域に合わせユーザ端末の送信速度を制御することができる。
【００２５】
また、前記通信速度制御方法において、
前記ユーザ端末の送信速度を前記ユーザ契約の通信速度と一致させる処理を、前記ユーザ端末から送信速度の変更要求の際に実行することにより、帯域変更が許可された場合に許可された設定帯域に合わせユーザ端末の送信速度を制御することができる。
【００２６】
本発明は、ユーザ端末とネットワークのエッジスイッチ間の通信における通信速度制御方法に用いるユーザ端末であって、
前記エッジスイッチにおけるユーザ契約の通信速度を問合せる問合せ手段と、
前記エッジスイッチにデータを送信する際の送信速度を前記エッジスイッチから通知された前記ユーザ契約の通信速度と一致させる送信速度制御手段を
有する。
【００２７】
また、ユーザ端末において、
前記問合せ手段は、前記ユーザ端末を前記ネットワークに接続するためのリンクアップの際に、前記エッジスイッチに前記問合せを行うことができる。
【００２８】
また、ユーザ端末において、
前記問合せ手段は、一定周期で前記エッジスイッチに前記問合せを行うことができる。
【００２９】
更に、発明は、ユーザ端末とネットワークのエッジスイッチ間の通信における通信速度制御方法に用いるエッジスイッチであって、
前記ユーザ端末からの問合せに応じて前記ユーザ端末にユーザ契約の通信速度を通知する通知手段を有することにより、請求項１の発明を実現できる。
【００３０】
また、前記エッジスイッチにおいて、
前記ユーザ契約の通信速度が変更された際に、前記ユーザ端末に前記通知を行うことができる。
【発明の効果】
【００３１】
本発明によれば、エッジスイッチでのパケット廃棄が発生しなくなり、ＴＣＰ輻輳制御におけるパケットの再送が低減され、ネットワークの有効活用率を向上することできる。
【発明を実施するための最良の形態】
【００３２】
以下、図面に基づいて本発明の実施形態について説明する。
【００３３】
＜ユーザＰＣとエッジスイッチのブロック構成＞
図４は、本発明のユーザＰＣとエッジスイッチの一実施形態のブロック図を示す。
【００３４】
同図中、送信側のユーザＰＣ５０において、パケット生成部５１はファイル５２を分割して通信のためのパケットを生成しバッファ５３に格納する。なお、パケット生成時には、受信側でパケットの連続性をチェックするための番号を付与する。
【００３５】
送信制御部５４は、バッファ５３に格納されているパケットを送信する。また、受信側のユーザＰＣから送信される受信応答を受信し、再送要求を検出したときには再送処理を行う。シェイパ５５は、出力回線の状態に応じてバッファ５３からのパケットの読出しを調整して送信制御部５４の送信速度つまり送信帯域を調整する。
【００３６】
帯域問合せ部５６は、エッジスイッチ６０にユーザＰＣ５０に対する設定帯域（ユーザ契約帯域つまりユーザが通信事業者と契約した通信速度）とキューサイズを問い合わせる。この問合せに用いる帯域問合せフレームの一実施形態を図５に示す。帯域問合せフレームはＭＡＣヘッダとＴＣＰ／ＩＰヘッダと帯域問合せコードからなる。
【００３７】
通知受信部５７は、設定帯域の問い合わせに対しエッジスイッチ６０から通知された設定帯域（設定帯域及びキューサイズ）受信しシェイパ５５に通知する。シェイパ５５は後述するように、ユーザＰＣ５０からエッジスイッチ６０に対するパケットの送信量を通知された設定帯域に基づいて制限する。
【００３８】
エッジスイッチ６０において、キュー６１は、受信されたパケットの受信処理待ちを行う。キュー６１は閾値（キューサイズ）を設定することができ、閾値を超えるパケットが流入した場合は、そのパケットが廃棄される。ポリサ６２は入力するパケット数を監視し、メモリ部６６に記憶されている設定帯域（ユーザ契約帯域）を超過するパケットに対してはこれを廃棄する。
【００３９】
スイッチ部６３は、パケットの宛先に従ってコアスイッチやエッジスイッチへの転送処理を行う。バッファ６４にはスイッチ部６３からのパケットが宛先毎に格納される。シェイパ６５は出力回線の状態に応じて送信速度を調整する。
【００４０】
メモリ部６６には、自装置（つまりエッジスイッチ６０）に接続される複数のユーザＰＣそれぞれの設定帯域（ユーザ契約帯域）及びキュー６１のキューサイズが予め記憶され、また、自装置と広域ネットワーク１０のコアスイッチ１１や他のエッジスイッチ１２との間の伝送路の設定帯域も予め記憶されている。なお、ユーザＰＣの設定帯域は契約によって決定されている。
【００４１】
帯域通知部６７は、ユーザＰＣ５０からの設定帯域の問い合わせに対し、メモリ部６６からユーザＰＣ５０に対する設定帯域を読出してユーザＰＣ５０に通知する。この通知に用いる帯域通知フレームの一実施形態を図６に示す。帯域通知フレームはＭＡＣヘッダとＴＣＰ／ＩＰヘッダと利用可能帯域通知情報からなる。
【００４２】
受信側のユーザＰＣ７０において、チェック部７１は、送信側でパケットに付加された番号を監視して受信パケットの連続性をチェックし、チェック結果を応答部７２に通知する。パケットの連続性が崩れた場合はパケットが欠落したと判断し、欠落したパケットの番号を併せて応答部７２に通知する。パケットの欠落がなければ、受信パケットからファイル７３を再現する。
【００４３】
応答部７２は、チェック部７１からのチェック結果を受けて受信応答を生成し、送信側のユーザＰＣ５０に送信する。パケット欠落検出時は、欠落したパケットの番号および再送要求を受信応答に載せてユーザＰＣ５０に送信する。
【００４４】
＜第１実施形態＞
図７は、本発明の通信速度制御方法の第１実施形態の動作シーケンスを示す。同図中、ステップＳ１１でユーザＰＣ５０はエッジスイッチ６０との物理的、電気的な接続（リンクアップ）を行い、ステップＳ１２で回線の通信速度（通信モード）を設定する。この通信速度の設定は、固定設定または接続相手によって自装置の通信速度を切り替えるオートネゴシエーション機能を用いた設定を行う。更に、ステップＳ１３で例えばＡＲＰ（Ａｄｄｒｅｓｓ  Ｒｅｓｏｌｕｔｉｏｎ  Ｐｒｏｔｏｃｏｌ）を用いてＭＡＣアドレスとＩＰアドレスの変換（アドレス解決）を行う。
【００４５】
次に、帯域ネゴシエーションを行う。まず、ステップＳ１４でユーザＰＣ５０の帯域問合せ部５６からエッジスイッチ６０に自装置に対する設定帯域を問い合わせる。
【００４６】
これに対し、ステップＳ１５でエッジスイッチ６０の帯域通知部６７からユーザＰＣ５０の帯域条件（設定帯域及びキューサイズ）をユーザＰＣ５０の通知受信部５７に通知する。
【００４７】
ステップＳ１６でユーザＰＣ５０のシェイパ５５は、ユーザＰＣ５０からエッジスイッチ６０に対するパケットの送信速度が設定帯域と同一となるように送信速度を制限する。また、シェイパ５５はバースト許容量を帯域条件のキューサイズで制限し、短時間のバースト送信によってエッジスイッチ６０のキュー６１がオーバーフローしないようにする。
【００４８】
この後、ユーザＰＣ５０の送信制御部５４はバッファ５３に格納されているパケットをエッジスイッチ６０に送信して通信を行う。
【００４９】
このように、リンクアップをトリガとして、ユーザＰＣ５０が帯域ネゴシエーション機能を用いてエッジスイッチ６０へのパケット流出量を制限することで、ユーザＰＣ５０とエッジスイッチ６０の通信速度が一致し、エッジスイッチ６０のポリサ６２によるパケット廃棄が発生しなくなり、また、キュー６１のオーバーフローが防止され、パケット廃棄が発生しなくなる。エッジスイッチ６０でのパケット廃棄が発生しなくなることで、ユーザＰＣ５０とエッジスイッチ６０間のＴＣＰ輻輳制御におけるパケットの再送が低減され、広域ネットワーク１０の有効活用率が向上する。
【００５０】
＜第２実施形態＞
図８は、本発明の通信速度制御方法の第２実施形態の動作シーケンスを示す。ここでは、図７のステップＳ１１〜Ｓ１３は実行された後のシーケンスを示している。
【００５１】
図８において、ユーザＰＣは一定周期で帯域ネゴシエーションを行う。
【００５２】
ステップＳ２０でユーザＰＣ５０の帯域問合せ部５６からエッジスイッチ６０に自装置に対する設定帯域を問い合わせる。
【００５３】
これに対し、ステップＳ２１でエッジスイッチ６０の帯域通知部６７からユーザＰＣ５０の帯域条件（設定帯域及びキューサイズ）をユーザＰＣ５０の通知受信部５７に通知する。
【００５４】
ステップＳ２２でユーザＰＣ５０のシェイパ５５は、ユーザＰＣ５０からエッジスイッチ６０に対するパケットの送信速度が設定帯域と同一となるように送信速度を制限する。また、シェイパ５５はバースト許容量を帯域条件のキューサイズで制限し、短時間のバースト送信によってエッジスイッチ６０のキュー６１がオーバーフローしないようにする。
【００５５】
このように、一定周期でユーザＰＣ５０から帯域ネゴシエーションを行うことにより、リンクアップ後にユーザＰＣ５０の設定帯域が変更された場合にも、最新の帯域条件に合わせてエッジスイッチ６０へのパケット流出量を制限でき、エッジスイッチ６０のポリサ６２によるパケット廃棄が発生しなくなり、ユーザＰＣ５０とエッジスイッチ６０間のＴＣＰ輻輳制御による再送パケットが低減され、広域ネットワーク１０の有効活用率が向上する。
【００５６】
＜第３実施形態＞
図９は、本発明の通信速度制御方法の第３実施形態の動作シーケンスを示す。ここでは、図７のステップＳ１１〜Ｓ１３は実行された後のシーケンスを示している。
【００５７】
図９において、エッジスイッチは帯域変更時に帯域ネゴシエーションを行う。
【００５８】
ステップＳ３０でエッジスイッチ６０のメモリ部６６におけるユーザＰＣ５０の設定帯域が変更されると、ステップＳ３１でエッジスイッチ６０の帯域通知部６７は変更されたユーザＰＣ５０の帯域条件（設定帯域及びキューサイズ）をユーザＰＣ５０の通知受信部５７に通知する。
【００５９】
ステップＳ３２でユーザＰＣ５０のシェイパ５５は、ユーザＰＣ５０からエッジスイッチ６０に対するパケットの送信速度が設定帯域と同一となるように送信速度を制限する。また、シェイパ５５はバースト許容量を帯域条件のキューサイズで制限し、短時間のバースト送信によってエッジスイッチ６０のキュー６１がオーバーフローしないようにする。
【００６０】
このように、エッジスイッチでユーザＰＣ５０の設定帯域が変更されたときに、エッジスイッチ６０から帯域ネゴシエーションを行うことにより、最新の帯域条件に合わせてエッジスイッチ６０へのパケット流出量を制限でき、エッジスイッチ６０のポリサ６２によるパケット廃棄が発生しなくなり、ユーザＰＣ５０とエッジスイッチ６０間のＴＣＰ輻輳制御による再送パケットが低減され、広域ネットワーク１０の有効活用率が向上する。
【００６１】
＜第４実施形態＞
図１０は、本発明の通信速度制御方法の第４実施形態の動作シーケンスを示す。ここでは、図７のステップＳ１１〜Ｓ１３は実行された後のシーケンスを示している。
【００６２】
図１０において、ユーザＰＣはエッジスイッチに対し帯域変更を要求し帯域ネゴシエーションを行う。
【００６３】
ステップＳ４０でユーザＰＣ５０の帯域問合せ部５６からエッジスイッチ６０に対し、設定帯域の変更を要求する。
【００６４】
これに対し、ステップＳ４１でエッジスイッチ６０の帯域通知部６７からユーザＰＣ５０の設定帯域変更の許可または不許可をユーザＰＣ５０の通知受信部５７に通知する。
なお、設定帯域変更の許可の場合には許可する帯域条件（設定帯域及びキューサイズ）を通知し、設定帯域変更の不許可の場合には従前どおりの帯域条件を通知する。
【００６５】
ステップＳ４２でユーザＰＣ５０のシェイパ５５は、ユーザＰＣ５０からエッジスイッチ６０に対するパケットの送信速度が設定帯域と同一となるように送信速度を制限する。また、シェイパ５５はバースト許容量を帯域条件のキューサイズで制限し、短時間のバースト送信によってエッジスイッチ６０のキュー６１がオーバーフローしないようにする。
【００６６】
このように、ユーザＰＣからの帯域変更要求に応じて帯域ネゴシエーションを行うことにより、帯域変更が許可された場合には、許可された設定帯域に合わせてエッジスイッチ６０へのパケット流出量を制限でき、エッジスイッチ６０のポリサ６２によるパケット廃棄が発生しなくなり、ユーザＰＣ５０とエッジスイッチ６０間のＴＣＰ輻輳制御による再送パケットが低減され、広域ネットワーク１０の有効活用率が向上する。
【００６７】
なお、帯域問合せ部５６が請求項記載の問合せ手段に相当し、シェイパ５５が送信速度制御手段に相当し、帯域通知部６７が通知手段に相当する。
（付記１）
ユーザ端末とネットワークのエッジスイッチ間の通信における通信速度制御方法であって、
前記ユーザ端末から前記エッジスイッチにデータを送信する際の送信速度を前記エッジスイッチにおけるユーザ契約の通信速度と一致させることを特徴とする通信速度制御方法。
（付記２）
付記１記載の通信速度制御方法において、
前記ユーザ端末の送信速度を前記ユーザ契約の通信速度と一致させる処理は、前記ユーザ端末を前記ネットワークに接続するためのリンクアップの際に実行することを特徴とする通信速度制御方法。
（付記３）
付記１または２記載の通信速度制御方法において、
前記ユーザ端末の送信速度を前記ユーザ契約の通信速度と一致させる処理を、一定周期で実行することを特徴とする通信速度制御方法。
（付記４）
付記１または２記載の通信速度制御方法において、
前記ユーザ端末の送信速度を前記ユーザ契約の通信速度と一致させる処理を、前記エッジスイッチにおけるユーザ契約の通信速度が変更された際に実行することを特徴とする通信速度制御方法。
（付記５）
付記１または２記載の通信速度制御方法において、
前記ユーザ端末の送信速度を前記ユーザ契約の通信速度と一致させる処理を、前記ユーザ端末から送信速度の変更要求の際に実行することを特徴とする通信速度制御方法。
（付記６）
ユーザ端末とネットワークのエッジスイッチ間の通信における通信速度制御方法に用いるユーザ端末であって、
前記エッジスイッチにおけるユーザ契約の通信速度を問合せる問合せ手段と、
前記エッジスイッチにデータを送信する際の送信速度を前記エッジスイッチから通知された前記ユーザ契約の通信速度と一致させる送信速度制御手段を
有することを特徴とするユーザ端末。
（付記７）
ユーザ端末とネットワークのエッジスイッチ間の通信における通信速度制御方法に用いるエッジスイッチであって、
前記ユーザ端末からの問合せに応じて前記ユーザ端末にユーザ契約の通信速度を通知する通知手段を有することを特徴とするエッジスイッチ。
（付記８）
付記６記載のユーザ端末において、
前記問合せ手段は、前記ユーザ端末を前記ネットワークに接続するためのリンクアップの際に、前記エッジスイッチに前記問合せを行うことを特徴とするユーザ端末。
（付記９）
付記６記載のユーザ端末において、
前記問合せ手段は、一定周期で前記エッジスイッチに前記問合せを行うことを特徴とするユーザ端末。
（付記１０）
付記７記載のエッジスイッチにおいて、
前記ユーザ契約の通信速度が変更された際に、前記ユーザ端末に前記通知を行うことを特徴とするエッジスイッチ。
（付記１１）
付記６記載のユーザ端末において、
前記問合せ手段は、送信速度の変更要求の際に前記エッジスイッチに前記問合せを行うことを特徴とするユーザ端末。
【図面の簡単な説明】
【００６８】
【図１】ＩＰネットワークのネットワーク構成図である。
【図２】従来のユーザＰＣとエッジスイッチの一例のブロック図である。
【図３】再送処理シーケンスを説明するための図である。
【図４】本発明のユーザＰＣとエッジスイッチの一実施形態のブロック図である。
【図５】帯域問合せフレームの一実施形態を示す図である。
【図６】帯域通知フレームの一実施形態を示す図である。
【図７】本発明の通信速度制御方法の第１実施形態の動作シーケンスである。
【図８】本発明の通信速度制御方法の第２実施形態の動作シーケンスである。
【図９】本発明の通信速度制御方法の第３実施形態の動作シーケンスである。
【図１０】本発明の通信速度制御方法の第４実施形態の動作シーケンスである。
【符号の説明】
【００６９】
５０  ユーザＰＣ（送信側）
５１  パケット生成部
５２  ファイル
５３  バッファ
５４  送信制御部
５５  シェイパ
５６  帯域問合せ部
５７  通知受信部
６０  エッジスイッチ
６１  キュー
６２  ポリサ
６３  スイッチ部
６４  バッファ
６５  シェイパ
６６  メモリ部
６７  帯域通知部
７０  ユーザＰＣ（受信側）
７１  チェック部
７２  応答部
７３  ファイル
【図１】
2006262417.tif 000003
【図２】
2006262417.tif 000004
【図３】
2006262417.tif 000005
【図４】
2006262417.tif 000006
【図５】
2006262417.tif 000007
【図６】
2006262417.tif 000008
【図７】
2006262417.tif 000009
【図８】
2006262417.tif 000010
【図９】
2006262417.tif 000011
【図１０】
2006262417.tif 000012